【手続補正書】
【提出日】平成20年7月3日(2008.7.3)
【手続補正１】
【補正対象書類名】特許請求の範囲
【補正対象項目名】全文
【補正方法】変更
【補正の内容】
【特許請求の範囲】
【請求項１】
情報の入力を行うための入力面に対して接触による入力を受付ける入力受付手段と、
手動操作により、前記入力受付手段へ電力を供給する状態と供給しない状態とを切替える電力供給切替手段と、
を備えることを特徴とする情報処理装置。
【請求項２】
前記電力供給切替手段は、押下されている間は前記入力受付手段に対して入力受付の実行を指示する押しボタンであることを特徴とする請求項１に記載の情報処理装置。
【請求項３】
画像を表示するディスプレイを備え、前記入力面が前記ディスプレイ面上に設けられ、前記入力受付手段は、前記ディスプレイの面上への接触による入力を受け付け、前記押しボタンは、前記ディスプレイが設けられた面上であってかつディスプレイの周辺に沿って配置されることを特徴とする請求項２に記載の情報処理装置。
【請求項４】
前記押しボタンは、押圧されたことによって入力受付の実行を指示する押圧面と、該押圧面より前記面からの高さが高いガード部材とを備えることを特徴とする請求項２または３に記載の情報処理装置。
【請求項５】
画像を表示するディスプレイを備えた筐体を有し、前記入力面が前記ディスプレイ面上に設けられ、
前記電力供給切替手段は、
前記ディスプレイが設けられた面に設けられた第１電極と、該第１電極と接触すると共に前記ディスプレイが設けられた面を前面とした場合の筐体の側面に露出する絶縁部材と、該絶縁部材によって前記第１電極と絶縁される第２電極と、を備えることを特徴とする請求項１に記載の情報処理装置。
【請求項６】
画像を表示するディスプレイを備え、前記入力面が前記ディスプレイ面上に設けられ、
前記電力供給切替手段は、
前記ディスプレイが設けられた面に設けられた第１電極と、前記ディスプレイの面上に接触するペンに設けられた第２電極と、を備えることを特徴とする請求項１に記載の情報処理装置。
【手続補正２】
【補正対象書類名】明細書
【補正対象項目名】０００６
【補正方法】変更
【補正の内容】
【０００６】
以上の課題を解決するため、本発明の情報処理装置は、以上の課題を解決するため、本発明の情報処理装置は、所情報の入力を行うための入力面に対して接触による入力を受付ける入力受付手段と、手動操作により、前記入力受付手段へ電力を供給する状態と供給しない状態とを切替える電力供給切替手段と、を備えることを特徴とする。
【手続補正３】
【補正対象書類名】明細書
【補正対象項目名】０００８
【補正方法】変更
【補正の内容】
【０００８】
また、本発明の情報処理装置は、前記電力供給切替手段が、押下されている間は前記入力受付手段に対して入力受付の実行を指示する押しボタンであることを特徴とする。
このような発明によれば、ユーザは、タッチ入力するときにだけ押しボタンを押下し、入力が終了した場合にはボタンの押下を解除することによってタッチ入力の受付の実行を指示することができる。このため、間欠的にタッチ入力する場合にも簡易にタッチ入力の受付の実行を指示し、また指示を解除することができる。このような本発明は、タッチ入力にかかる消費電力を低減でき、かつ操作性が高い情報処理装置を提供することができる。
【手続補正４】
【補正対象書類名】明細書
【補正対象項目名】０００９
【補正方法】変更
【補正の内容】
【０００９】
また、本発明の情報処理装置は、画像を表示するディスプレイを備え、前記入力面が前記ディスプレイ面上に設けられ、前記入力受付手段は、前記ディスプレイの面上への接触による入力を受け付け、前記押しボタンは、前記ディスプレイが設けられた面上であってかつディスプレイの周辺に沿って配置されることを特徴とする。
このような発明によれば、押しボタンがディスプレイが設けられた面上であってかつディスプレイの周辺に沿って配置される。このため、ユーザは、ディスプレイに対してタッチ入力しながら押しボタンを操作する動作がしやすくなる。このため、本発明は、情報処理装置の操作性をより高めることができる。
【手続補正５】
【補正対象書類名】明細書
【補正対象項目名】００１１
【補正方法】変更
【補正の内容】
【００１１】
また、本発明の情報処理装置は、画像を表示するディスプレイを備えた筐体を有し、前記入力面が前記ディスプレイ面上に設けられ、前記電力供給切替手段は、前記ディスプレイが設けられた面に設けられた第１電極と、該第１電極と接触すると共に前記ディスプレイが設けられた面を前面とした場合の筐体の側面に露出する絶縁部材と、該絶縁部材によって前記第１電極と絶縁される第２電極と、を備えることを特徴とする。
【手続補正６】
【補正対象書類名】明細書
【補正対象項目名】００１３
【補正方法】変更
【補正の内容】
【００１３】
また、本発明の情報処理装置は、画像を表示するディスプレイを備え、前記入力面が前記ディスプレイ面上に設けられ、前記電力供給切替手段は、前記ディスプレイが設けられた面に設けられた第１電極と、前記ディスプレイの面上に接触するペンに設けられた第２電極と、を備えることを特徴とする。
このような発明によれば、ユーザがタッチ入力するため一方の手で情報処理装置を押さえ、他方の手でペンを持ち上げた場合に第１電極と第２電極とが導通し、ペンまたは情報処理装置から手を離したときに第１電極と第２電極とが絶縁する。このため、ユーザが情報処理装置とペンとに同時に触れたときだけタッチ入力の受付を指示することができる。したがって、本発明は、ユーザがタッチ入力するときにだけタッチ入力の受付を指示することができる。
【手続補正７】
【補正対象書類名】明細書
【補正対象項目名】００１９
【補正方法】変更
【補正の内容】
【００１９】
ペン入力ボタン１は、後述するタッチ入力を制御するペン入力ドメインに対してタッチ入力の受付の実行を指示する電力供給切替手段として機能する。図１に示したペン入力ボタン１は、押下されている間はペン入力ドメインに対して入力受付の実行を指示する押しボタンである。つまり、本実施形態では、ペン入力ボタン１が押下されていることが検出され、押下されている間はペン入力ドメインに電力を供給する。また、ペン入力ボタン１の押下が解除されている間はペン入力ドメインへの電力供給を停止するよう制御する。
【手続補正８】
【補正対象書類名】明細書
【補正対象項目名】００４８
【補正方法】変更
【補正の内容】
【００４８】
図５は、本実施形態の本体２がディスプレイ３を備えた筐体であることを利用している。そして、ディスプレイ３が設けられた面に第１電極５２を、第１電極５２と接触すると共にディスプレイ３が設けられた面を前面とした場合の筐体の側面に露出する絶縁部材５１と、絶縁部材５１によって第１電極５２と絶縁される第２電極５３とによって電力供給切替手段を構成する。
【手続補正９】
【補正対象書類名】明細書
【補正対象項目名】００５１
【補正方法】変更
【補正の内容】
【００５１】
図６は、ディスプレイが設けられた面に設けられた第１電極５２と、ディスプレイ３上の点の指定に使用されるペン１１に設けられた第２電極６１とによって構成された電力供給切替手段を示している。ペン１１は、情報処理装置の本体２と信号線６２によって接続されている。
第１電極５２と第２電極６１とは、通常離れており、通電は起こらない。しかし、ユーザは、ペン１１を握ってタッチ入力するとき、一般的に一方の手で第１電極に触れ、他方の手で第２電極６１に触れる。このような場合、ユーザの体を通じて第１電極５２と第２電極６１とが通電し、微弱な電流が流れる。第１電極５２と第２電極６１との通電は、信号線６２によってパワーマネジメント回路１０に伝えられる。パワーマネジメント回路１０は、通電している間だけペン入力ドメイン７００に電力を供給するよう制御する。
【手続補正１０】
【補正対象書類名】明細書
【補正対象項目名】００７３
【補正方法】変更
【補正の内容】
【００７３】
【図１】本発明にかかる情報処理装置の外観構成を示す図である。
【図２】図１に示した情報処理装置の内部構成を示す機能ブロック図である。
【図３】図１に示したペン入力ボタンの他の例を示した図である。
【図４】図１に示したペン入力ボタンの他の例を示した図である。
【図５】本発明の一実施形態の電力供給切替手段を説明するための図である。
【図６】本発明の一実施形態の電力供給切替手段の他の例を説明するための図である。
【図７】本発明の一実施形態の情報処理装置の動作を説明するためのフローチャートである。
【図８】図７に示した電源理由以外の電源理由によって電源を投入した場合の電源制御について説明するためのフローチャートである。